(57)【特許請求の範囲】
【請求項１】
屋根板付近に取付固定される上方固定部と、この上方固定部から屋根板前方へ延出する延出部と、この延出部から建物外壁面側へと斜め下方に向かって延設される傾斜部と、この傾斜部の下方端部から延設される断面略Ｖ字形状の水切り部と、この水切り部の後方端部から上方へ向かって屈曲する下方固定部とを有する軒下導水部材を裏面側から補強する補強部材であって、
前記軒下導水部材の上方固定部の先端と係合する第１係合部と、
この第１係合部から建物外壁側へ向かって延設され、前記軒下導水部材の延出部、傾斜部および水切り部を裏面から当接支持するとともに、奥行き方向長さをスライド調整可能な補強部と、
この補強部の後方端部に設けられ、前記軒下導水部材の下方固定部と係合する第２係合部と、
この第２係合部から上方へ延設されて建物外壁面に固定される壁面取付部と、
を有することを特徴とする補強部材。
【請求項２】
屋根板からの雨水を建物外壁面方向へ導く軒下導水部材を裏面側から補強するための補強構造であって、
軒下導水部材は、屋根板付近に取付固定される上方固定部と、この上方固定部から屋根板前方へ延出する延出部と、この延出部から建物外壁面側へと斜め下方に向かって延設される傾斜部と、この傾斜部の下方端部から延設される断面略Ｖ字形状の水切り部と、 この水切り部の後方端部から上方へ向かって屈曲する下方固定部とを有し、
補強部材は、
前記軒下導水部材の上方固定部の先端と係合する第１係合部と、
この第１係合部から建物外壁側へ向かって延設され、前記軒下導水部材の延出部、傾斜部および水切り部を裏面から当接支持するとともに、奥行き方向長さをスライド調整可能な補強部と、
この補強部の後方端部に設けられ、前記軒下導水部材の下方固定部と係合する第２係合部と、
この第２係合部から上方へ延設されて建物外壁面に固定される壁面取付部と、
を有するとともに、前記補強部による奥行き方向長さのスライド調整によって、前記補強部材全体の奥行き方向長さが前記軒下導水部材の奥行き方向長さと略等しい長さに調整されて、前記軒下導水部材と前記補強部材とが係合一体化して軒下に取り付けられていることを特徴とする軒下導水部材の補強構造。
【請求項３】
裏面側に補強部材を備え、屋根板からの雨水を建物外壁面方向へと導く軒下導水部材であって、
軒下導水部材は、屋根板付近に取付固定される上方固定部と、この上方固定部から屋根板前方へ延出する延出部と、この延出部から建物外壁面側へと斜め下方に向かって延設される傾斜部と、この傾斜部の下方端部から延設される断面略Ｖ字形状の水切り部と、この水切り部の後方端部から上方へ向かって屈曲する下方固定部とを有し、
補強部材は、
前記軒下導水部材の上方固定部の先端と係合する第１係合部と、
この第１係合部から建物外壁側へ向かって延設され、前記軒下導水部材の延出部、傾斜部および水切り部とを裏面から当接支持するとともに、奥行き方向長さをスライド調整可能な補強部と、
この補強部の後方端部に設けられ、前記軒下導水部材の下方固定部と係合する第２係合部と、
この第２係合部から上方へ延設されて建物外壁面に固定される壁面取付部と、
を有するとともに、前記補強部による奥行き方向長さのスライド調整によって、前記補強部材の奥行き方向長さが、前記軒下導水部材の奥行き方向長さと略等しい長さに調整されて、前記軒下導水部材と前記補強部材とが係合一体化していることを特徴とする軒下導水部材。
【発明の詳細な説明】
【技術分野】
【０００１】
本発明は、軒下導水部材の補強部材、補強構造および補強部材を備えた軒下導水部材に関するものである。
【背景技術】
【０００２】
従来より、雨樋の破損の原因の一つとして、軒樋への積雪や屋根板から軒樋への滑雪が指摘されている。そして、このような軒樋への積雪、滑雪による雨樋の破損を抑制するための構造が提案されている。
【０００３】
例えば、特許文献１には、水切り部を有する弧状の軒先材を屋根本体の下端部を覆うように取り付けた屋根の構造が提案されている。この構造によれば、屋根に積もった雪は雨樋へ落下することなく、軒先材の先端部より直接下方に落下するため、雨樋の破損を抑制することができるとされている。
【先行技術文献】
【特許文献】
【０００４】
【特許文献１】実開平４−６２７１９号公報
【発明の概要】
【発明が解決しようとする課題】
【０００５】
特許文献１の構造は、雪落下等の衝撃による破損防止には一定の効果が期待されるものの、特許文献１に記載の軒先材は、導水部材としての強度、設置安定性が必ずしも十分でない場合があった。
【０００６】
そこで、本出願人は、雪落下等の衝撃による軒樋の破損抑制を図りつつ、導水部材の設置安定性を向上させるための部材、構造についての検討を進めてきた。しかしながら、導水部材は、同様の導水形態であっても、軒天井の奥行き方向長さ、鼻板の高さ、屋根板の位置等の条件に伴って、奥行き方向長さ（建物外壁面から前方への長さ）が異なる様々なタイプが存在する。このため、例えば、奥行き方向長さ（建物外壁面から前方への長さ）が異なる様々な導水部材に対応させて、補強部材を安定に取り付けることは容易ではないという問題があった。
【０００７】
本発明は、以上のような事情に鑑みてなされたものであり、奥行き方向長さの異なる軒下導水部材に対応して取り付けることができ、軒下導水部材の強度、設置安定性を向上させることができる補強部材および補強構造を提供することを課題としている。
【課題を解決するための手段】
【０００８】
上記の課題を解決するため、本発明の軒下導水部材の補強部材は、屋根板付近に取付固定される上方固定部と、この上方固定部から屋根板前方へ延出する延出部と、この延出部から建物外壁面側へと斜め下方に向かって延設される傾斜部と、この傾斜部の下方端部から延設される断面略Ｖ字形状の水切り部と、この水切り部の後方端部から上方へ向かって屈曲する下方固定部とを有する軒下導水部材を裏面側から補強する補強部材であって、前記軒下導水部材の上方固定部の先端と係合する第１係合部と、この第１係合部から建物外壁側へ向かって延設され、前記軒下導水部材の延出部、傾斜部および水切り部を裏面から当接支持するとともに、奥行き方向長さをスライド調整可能な補強部と、この補強部の後方端部に設けられ、前記軒下導水部材の下方固定部と係合する第２係合部と、この第２係合部から上方へ延設されて建物外壁面に固定される壁面取付部と、を有することを特徴としている。
【０００９】
本発明の軒下導水部材の補強構造は、屋根板からの雨水を建物外壁面方向へ導く軒下導水部材を裏面側から補強するための補強構造であって、軒下導水部材は、屋根板付近に取付固定される上方固定部と、この上方固定部から屋根板前方へ延出する延出部と、この延出部から建物外壁面側へと斜め下方に向かって延設される傾斜部と、この傾斜部の下方端部から延設される断面略Ｖ字形状の水切り部と、 この水切り部の後方端部から上方へ向かって屈曲する下方固定部とを有し、補強部材は、前記軒下導水部材の上方固定部の先端と係合する第１係合部と、この第１係合部から建物外壁側へ向かって延設され、前記軒下導水部材の延出部、傾斜部および水切り部を裏面から当接支持するとともに、奥行き方向長さをスライド調整可能な補強部と、この補強部の後方端部に設けられ、前記軒下導水部材の下方固定部と係合する第２係合部と、この第２係合部から上方へ延設されて建物外壁面に固定される壁面取付部と、を有するとともに、前記補強部による奥行き方向長さのスライド調整によって、前記補強部材全体の奥行き方向長さが前記軒下導水部材の奥行き方向長さと略等しい長さに調整されて、前記軒下導水部材と前記補強部材とが係合一体化して軒下に取り付けられていることを特徴としている。
【００１０】
本発明の補強部材を備えた軒下導水部材は、裏面側に補強部材を備え、屋根板からの雨水を建物外壁面方向へと導く軒下導水部材であって、軒下導水部材は、屋根板付近に取付固定される上方固定部と、この上方固定部から屋根板前方へ延出する延出部と、この延出部から建物外壁面側へと斜め下方に向かって延設される傾斜部と、この傾斜部の下方端部から延設される断面略Ｖ字形状の水切り部と、この水切り部の後方端部から上方へ向かって屈曲する下方固定部とを有し、補強部材は、前記軒下導水部材の上方固定部の先端と係合する第１係合部と、この第１係合部から建物外壁側へ向かって延設され、前記軒下導水部材の延出部、傾斜部および水切り部とを裏面から当接支持するとともに、奥行き方向長さをスライド調整可能な補強部と、この補強部の後方端部に設けられ、前記軒下導水部材の下方固定部と係合する第２係合部と、この第２係合部から上方へ延設されて建物外壁面に固定される壁面取付部と、を有するとともに、前記補強部による奥行き方向長さのスライド調整によって、前記補強部材の奥行き方向長さが、前記軒下導水部材の奥行き方向長さと略等しい長さに調整されて、前記軒下導水部材と前記補強部材とが係合一体化していることを特徴としている。
【発明の効果】
【００１１】
本発明の軒下導水部材の補強部材および補強構造によれば、奥行き方向長さの異なる軒下導水部材に対応して取り付けることができ、軒下導水部材の強度、設置安定性を向上させることができる。
【図面の簡単な説明】
【００１２】
【図１】本発明の補強部材を介して軒下導水部材を軒下に取り付けた状態を例示した断面概要図である。
【図２】本発明の補強部材および軒下導水部材の一実施形態を例示した分解斜視図である。
【図３】図２のＡ部の拡大平面図である。
【発明を実施するための形態】
【００１３】
図１は、本発明の補強部材を介して軒下導水部材を取り付けた状態を例示した断面概要図である。図２は、本発明の補強部材および軒下導水部材の一実施形態を例示した分解斜視図である。
【００１４】
軒下導水部材１の下方には雨樋１１が配設されている。具体的には、雨樋１１は、建物外壁面Ｗに取り付けられた軒樋１１aと、この軒樋１１aから下方に接続された竪樋１１bを備えている。
【００１５】
軒下導水部材１は、建物Ｈの屋根板１２付近から建物外壁面Ｗに亘って設けられ、屋根板１２からの雨水を軒樋１１a内部へと導くことができる。軒下導水部材１は、軒下に沿って長尺な部材であり、軒下の水平方向の長さに応じて１つまたは２つ以上取り付けることができる。軒下導水部材１を２つ以上取り付ける場合には、軒下に沿って、軒下導水部材１同士の間に隙間が生じないように取り付けることが望ましい。軒下導水部材１の材料としては、長尺な薄金属板、プラスチック板等を好ましく例示することができる。
【００１６】
軒下導水部材１は、上端部に上方固定部２が設けられている。上方固定部２は、屋根板１２付近に固定される。具体的には、上方固定部２は、屋根板１２と野地材１３との間に挿入固定された水切り部材１４の内側に固定されている。上方固定部２の取り付けには、ネジや釘などの固定部材を適宜使用することができる。また、上方固定部２の先端は、内側に向かって屈曲する屈曲部２aが設けられている。
【００１７】
上方固定部２からは、屋根板１２の前方へ延出する延出部３が設けられ、この延出部３からは、建物外壁面Ｗへと斜め下方に向って傾斜部４が延設されている。延出部３は鈍角に折り曲げられて屋根板１２の前方へ膨出している。このため、延出部３は、図１の矢印Ｙに例示するように、屋根板１２から下方に落ちた雨水を受け、確実に傾斜部４へと導水することができる。
【００１８】
そして、傾斜部４の下方端部からは、断面略Ｖ字形状の水切り部５が延設されており、この水切り部５は、雨樋１１上部の軒樋１１aの上方に配置されている。具体的には、水切り部５は、Ｖ字形状の頂部５aから傾斜部４側において略垂直に形成されており、Ｖ字形状の頂部５aから建物外壁面Ｗ側が、斜め上方向に屈曲成形されている。このため、水切り部５は、断面が鋭角なＶ字形状に形成されている。
【００１９】
さらに、水切り部５の後方端部からは、上方へ向かって屈曲する下方固定部６が設けられている。下方固定部６の先端には、下向きに折り返し成形された係合爪部６aが設けられている。
【００２０】
そして、この軒下導水部材１は、内側に取り付けられた補強部材７を介して建物外壁面Ｗに取り付けられている。
【００２１】
補強部材７は、上端部に、軒下導水部材１の上方固定部２先端の屈曲部２aと係合する第１係合部７１を有している。第１係合部７１は、内側に向かって折り曲げ加工されており、軒下導水部材１の屈曲部２aの内部に嵌まり込んで係合している。
【００２２】
補強部材７は、第１係合部７１から建物外壁面Ｗ側へ向かって補強部７２が延設されている。この補強部７２は、軒下導水部材１の延出部３、傾斜部４および水切り部５の形状と略対応しており、延出部３、傾斜部４および水切り部５を裏面から当接支持している。このため、軒下導水部材１は、この補強部７２によって強度、設置安定性が向上している。
【００２３】
補強部７２の後方端部には、軒下導水部材１の下方固定部６と係合する第２係合部７３が設けられている。具体的には、第２係合部７３は、補強部７２の後方端部から上方へ屈曲する部分の外側に断面略Ｊ字の板状の部材が取付固定されることで形成されている。第２係合部７３の取付固定には、ネジ等の固定部材Ｔ１を適宜使用することができる。
【００２４】
補強部材７の第２係合部７３からは、上方へ向かって壁面取付部７４が延設されている。壁面取付部７４は、第２係合部７３から断面略Ｌ字状に屈曲成形されて建物外壁面Ｗと当接対峙した状態で建物外壁面Ｗに固定されている。壁面取付部７４の固定には、ネジ等の固定部材Ｔ２を適宜使用することができる。
【００２５】
さらに、補強部材７の補強部７２は、奥行き方向長さをスライド調整可能とされている。このため、補強部材７全体の奥行き方向長さを調整することができる。ここで、「奥行き方向長さ」とは、建物外壁面Ｗから前方への長さをいう。
【００２６】
図３は、図２のＡ部の拡大平面図である。
【００２７】
補強部材７は、軒下導水部材１の傾斜部４の裏面位置で軒下方向に沿って二分割されている。そして、二分割された補強部７２の前方側の分割端部７２Ａの近傍には、奥行き方向に長い開口部８が設けられており、この開口部８を介して補強部７２の分割端部７２Ａ、７２Ｂ同士が互いに上下重なって連結固定されている。補強部７２の分割端部７２Ａ、７２Ｂ同士の連結には、ボルト等の固定部材Ｔ３を適宜使用することができる。補強部７２は、分割端部７２Ａ、７２Ｂ同士を連結固定する位置を開口部８の長さＬの範囲でスライド調整することができるため、補強部材７全体の奥行き方向長さを調整することができる。
【００２８】
そして、軒下導水部材１は、上方固定部２先端の屈曲部２aと、下方固定部６先端の係合爪部６aが、それぞれ、補強部材７の第１係合部７１、第２係合部７３と係合することで、補強部材７と一体化した状態で軒下に取り付けられている。
【００２９】
補強部材７は、軒下導水部材１の内側（裏面）に配置された状態で補強部７２の奥行き方向長さを、軒下導水部材１の奥行き方向長さと略等しくなるように調整することができる。このため、補強部材７の第１係合部７１、第２係合部７３は、確実に係合機能を発揮することができ、安定に補強部材７と軒下導水部材１を係合一体化することができる。したがって、補強部材７は、軒下導水部材１を内側から確実に補強することができるため、軒下導水部材１の強度、設置安定性が向上する。
【００３０】
そして、補強部材７を備えた軒下導水部材１は、屋根板１２から建物外壁面Ｗに亘って軒下を覆うように安定に設置される。建物外壁面Ｗに取り付けられた軒樋１１aの上方は、軒下導水部材１によって覆われているため、軒樋１１aに雪が堆積する恐れがなく、積雪に伴う雨樋１１の破損が抑制されている。さらに、屋根板１２の上に積もった雪が前方へ滑雪した場合にも、滑雪した雪は、軒下導水部材１の延出部３の表面を滑るようにして、図１の矢印Ｚに例示したように、軒樋１１aの外側へ落下する。このため、軒下導水部材１は、滑雪による雨樋１１の破損を効果的に抑制することができる。
【００３１】
また、屋根板１２からの雨水は、軒下導水部材１の延出部３から傾斜部４に沿って下方へ伝って水切り部５へと到達する。水切り部５は、断面略Ｖ字形状に形成されているため、Ｖ字形状の頂部５aにおいて雨水が下方へ落下する。水切り部５のＶ字形状が鋭角に形成されていることによって、より確実な水切りが可能とされている。そして、水切り部５は軒樋１１aの上方に配置されているため、水切り部５からの雨水は軒樋１１aの内部に確実に受水され、竪樋１１bを通じた排水が可能とされている。
【００３２】
また、雨水とともに屋根板１２から流下した落ち葉等は、図１の矢印Ｚに例示したように、延出部３から下方へ落下する。このため、延出部３から傾斜部４、水切り部５へは落ち葉等を含まない雨水が流れ（図１矢印Ｙ）、水切り部５から軒樋１１a内部に落ち葉等が混入する恐れがない。
【００３３】
そして、軒下導水部材１は、延出部３、傾斜部４、水切り部５の裏面に、防火材料を備えることができる。したがって、住宅火災時に軒天井１５付近から出火した場合にも、軒下導水部材１は燃え難く、住宅の延焼を抑制することができる。防火材料としては、例えば、石膏ボード等を例示することができる。
【００３４】
また、軒下導水部材１は、露出側の外表面を親水化した金属板、プラスチック板等を使用することもでき、この場合には、より円滑かつ確実に屋根板１２からの雨水を軒樋１１a内部に導くことができる。外表面の親水化は公知の方法で行うことができる。例えば、光触媒や珪素化合物を含有する塗料を金属板、プラスチック板等の表面に塗布し、光触媒層や珪素化合物層を設ける方法等を例示することができる。
【００３５】
軒下導水部材１は、屋根板１２から建物外壁面Ｗに亘って軒下を覆っているため、鼻板１６と軒天井１５の設置を省略することができる。これによって、鼻板１６と軒天井１５の材料、施工コストを抑制することができる。また、鼻板１６と軒天井１５が不要であるため、建物の設計自由度も大きくなる。
【００３６】
なお、本発明は以上の形態に限定されるものではない。例えば、補強部材の細部の形状は、軒下導水部材の形状に応じて適宜設計することができる。さらに、補強部材の補強部のスライド調整機構も公知の方法を採用することができる。また、補強部材およびこの補強部材を備えた軒下導水部材の取付方法、取付位置も適宜設計することができる。例えば、補強部材を備えた軒下導水部材の上方固定部は、屋根板に直接固定することもできる。
【符号の説明】
【００３７】
１  軒下導水部材
２  上方固定部
３  延出部
４  傾斜部
５  水切り部
６  下方固定部
７  補強部材
７１  第１係合部
７２  補強部
７３  第２係合部
７４  壁面取付部
１１  雨樋
１１a  軒樋
１２  屋根板
Ｗ  建物外壁面
【図１】
0005623850.tif 000002
【図２】
0005623850.tif 000003
【図３】
0005623850.tif 000004